(57)【特許請求の範囲】
【請求項１】
感光体と、印刷ジョブに基づき形成すべき画像に応じて前記感光体を露光して静電潜像を形成する露光部と、記録媒体にトナー画像を定着させる定着器と、前記定着器により前記記録媒体に前記トナー画像を定着させる際に前記記録媒体を搬送するモータと、を備える画像形成装置であって、
前記定着器の温度を検知する温度検知部と、
前記モータの速度を制御する速度制御部と、
前記定着器により前記トナー画像を前記記録媒体に定着可能となるまでの第１消費電力を算出する第１算出部と、
前記温度検知部により検知される温度及び前記印刷ジョブの処理時間から、前記定着器により前記トナー画像を前記記録媒体に定着させるための第１のトナー定着時消費電力を算出する第１のトナー定着時消費電力算出手段と、
前記記録媒体の種類に応じて前記速度制御部で制御される前記モータの速度及び前記印刷ジョブの処理時間から、前記トナー画像を定着させる際に前記モータにより前記記録媒体を搬送させるための第２のトナー定着時消費電力を算出する第２のトナー定着時消費電力算出手段と、
前記第１のトナー定着時消費電力及び前記第２のトナー定着時消費電力の和を第２消費電力として算出する第２算出部と、
前記露光部により前記感光体を露光するための第３消費電力を前記形成すべき画像に応じて算出する第３算出部と、
前記第１消費電力、前記第２消費電力、及び前記第３消費電力の総和を算出する第４算出部と
を備えたことを特徴とする画像形成装置。
【請求項２】
前記第１算出部は、前記記録媒体の種類と前記定着器の温度上昇に伴う消費電力とが対応づけられたテーブルを用いて、前記第１の消費電力を算出することを特徴とする請求項１に記載の画像形成装置。
【請求項３】
温度上昇率が一定となるよう前記定着器を制御する制御部をさらに備え、
前記第１算出部は、前記印刷ジョブ受信時に時間計測及び前記温度検知部による定着器の温度の検知を開始し、前記制御部による制御によって前記定着器が前記トナー画像を前記記録媒体に定着可能な温度となったことを前記温度検知部が検知したときに前記時間計測を終了し、当該計測された時間と前記テーブルから前記第１消費電力を算出することを特徴とする請求項２に記載の画像形成装置。
【請求項４】
前記温度検知部により検知された前記定着器の温度と前記定着器が前記トナー画像を前記記録媒体に定着可能な所定温度との温度差に基づき、所定時間で前記定着器が前記所定温度となるよう前記定着器の温度上昇を制御する制御部をさらに備え、
前記第１算出部は、前記印刷ジョブ受信時に前記温度検知部による定着器の温度の検知を開始し、前記定着器が前記所定温度となったことを前記温度検知部が検知したときに、前記所定時間における前記温度差から前記第１消費電力を算出することを特徴とする請求項１に記載の画像形成装置。
【請求項５】
前記第２のトナー定着時消費電力算出部は、前記記録媒体の種類と前記定着器により前記記録媒体に定着させる際に前記記録媒体を搬送する前記モータの速度に伴う消費電力とが対応付けられたテーブルを用いて前記第２のトナー定着時消費電力を算出する請求項１乃至４のいずれか１項に記載の画像形成装置。
【請求項６】
前記第３算出部は、前記形成すべき画像における画素の合計値から前記第３消費電力を算出する請求項１乃至５のいずれか１項に画像形成装置。
【請求項７】
感光体と、印刷ジョブに基づき画像に応じて前記感光体を露光して静電潜像を形成する露光部と、記録媒体に前記画像を定着させる定着器と、前記定着器により前記記録媒体に前記トナー画像を定着させる際に前記記録媒体を搬送するモータと、を備える画像形成装置の制御方法であって、
前記定着器の温度を検知する温度検知ステップと、
前記モータの速度を制御する速度制御ステップと、
前記定着器により前記トナー画像を前記記録媒体に定着可能となるまでの第１消費電力を算出する第１算出ステップと、
前記温度検知ステップにより検知される温度及び前記印刷ジョブの処理時間から、前記定着器により前記トナー画像を前記記録媒体に定着させるための第１のトナー定着時消費電力を算出する第１のトナー定着時消費電力算出ステップと、
前記記録媒体の種類に応じて前記速度制御部で制御される前記モータの速度及び前記印刷ジョブの処理時間から、前記定着器により前記記録媒体に前記トナー画像を定着させる際に前記モータにより前記記録媒体を搬送させるための第２のトナー定着時消費電力を算出する第２のトナー定着時消費電力算出ステップと、
前記第１のトナー定着時消費電力及び前記第２のトナー定着時消費電力の和を第２消費電力として算出する第２算出ステップと、
前記露光部により前記感光体を露光するための第３消費電力を前記形成すべき画像に応じて算出する第３算出ステップと、
前記第１消費電力、前記第２消費電力、及び前記第３消費電力の総和を算出する第４算出ステップと
を備えたことを特徴とする制御方法。
【請求項８】
感光体と、印刷ジョブに基づき画像に応じて前記感光体を露光して静電潜像を形成する露光部と、記録媒体に前記画像を定着させる定着器と、前記定着器により前記記録媒体に前記トナー画像を定着させる際に前記記録媒体を搬送するモータと、を備える画像形成装置の制御方法をコンピュータに実行させるためのプログラムであって、
前記制御方法は、
前記定着器の温度を検知する温度検知ステップと、
前記モータの速度を制御する速度制御ステップと、
前記定着器により前記トナー画像を前記記録媒体に定着可能となるまでの第１消費電力を算出する第１算出ステップと、
前記温度検知ステップにより検知される温度及び前記印刷ジョブの処理時間から、前記定着器により前記トナー画像を前記記録媒体に定着させるための第１のトナー定着時消費電力を算出する第１のトナー定着時消費電力算出ステップと、
前記記録媒体の種類に応じて前記速度制御部で制御される前記モータの速度及び前記印刷ジョブの処理時間から、前記定着器により前記記録媒体に前記トナー画像を定着させる際に前記モータにより前記記録媒体を搬送させるための第２のトナー定着時消費電力を算出する第２のトナー定着時消費電力算出ステップと、
前記第１のトナー定着時消費電力及び前記第２のトナー定着時消費電力の和を第２消費電力として算出する第２算出ステップと、
前記露光部により前記感光体を露光するための第３消費電力を前記形成すべき画像に応じて算出する第３算出ステップと、
前記第１消費電力、前記第２消費電力、及び前記第３消費電力の総和を算出する第４算出ステップと
を備えたことを特徴とするプログラム。
【発明の詳細な説明】
【技術分野】
【０００１】
本発明は、画像形成装置及びその制御方法、並びにプログラムに関し、特に消費電力を算出可能な画像形成装置及びその制御方法、並びにプログラムに関する。
【背景技術】
【０００２】
近年、二酸化炭素等の温室効果ガスの排出量を低減するために、プリンタ等の画像形成装置の使用時における消費電力量を低減することが求められている。そのためには、まず実際の画像形成時の消費電力量を把握することが求められる。
【０００３】
画像形成装置の個々の消費電力を把握する場合には、個々の画像形成装置に電力計を接続もしくは内蔵して計測する必要があり、コストが高くなってしまうという問題がある。
【０００４】
そこで、消費電力量の把握対象である対象装置自身には電力計を備えずに、電力計を備える外部の装置で計測した対象装置におけるスリープ時の消費電力を、対象装置自身の消費電力として使用する技術が開示されている（例えば、特許文献１参照）。
【０００５】
また、電力計を内蔵せずに、単位時間あたりの印刷ジョブの仕事量と状態遷移データから装置の消費電力を算出する技術が開示されている（例えば、特許文献２参照）。
【先行技術文献】
【特許文献】
【０００６】
【特許文献１】特開２０１０−４３８２号公報
【特許文献１】特開２０１０−７２２５３号公報
【発明の概要】
【発明が解決しようとする課題】
【０００７】
しかしながら、特許文献１に記載された消費電力の算出方法では、印刷ジョブ実行時の消費電力を算出することができない。スリープ時のように、装置ごとにあまり差異がない状態の消費電力を算出しても、印刷ジョブの種類によって消費電力が異なる印刷ジョブ実行時の消費電力を算出できないのでは、精度よく消費電力を算出できない。
【０００８】
また、特許文献２に記載の消費電力の算出方法では、印刷ジョブの内容による消費電力の差異が反映されない。例えば、Ａ４用紙への文字のみモノクロ印刷とハガキへのグラフィックを含むカラー印刷では、定着器の温度の違いや紙搬送モータ速度の違いによって消費電力が異なる。
【０００９】
このように、従来の技術では、画像形成装置の消費電力を精度よく算出できないという問題点があった。
【００１０】
本発明の目的は、画像形成装置の消費電力を精度よく算出することができる画像形成装置及びその制御方法、並びにプログラムを提供することにある。
【課題を解決するための手段】
【００１１】
上記目的を達成するために、請求項１の画像形成装置は、感光体と、印刷ジョブに基づき形成すべき画像に応じて前記感光体を露光して静電潜像を形成する露光部と、記録媒体にトナー画像を定着させる定着器と、前記定着器により前記記録媒体に前記トナー画像を定着させる際に前記記録媒体を搬送するモータと、を備える画像形成装置であって、前記定着器の温度を検知する温度検知部と、前記モータの速度を制御する速度制御部と、前記定着器により前記トナー画像を前記記録媒体に定着可能となるまでの第１消費電力を算出する第１算出部と、前記温度検知部により検知される温度及び前記印刷ジョブの処理時間から、前記定着器により前記トナー画像を前記記録媒体に定着させるための第１のトナー定着時消費電力を算出する第１のトナー定着時消費電力算出手段と、前記記録媒体の種類に応じて前記速度制御部で制御される前記モータの速度及び前記印刷ジョブの処理時間から、前記トナー画像を定着させる際に前記モータにより前記記録媒体を搬送させるための第２のトナー定着時消費電力を算出する第２のトナー定着時消費電力算出手段と、前記第１のトナー定着時消費電力及び前記第２のトナー定着時消費電力の和を第２消費電力として算出する第２算出部と、前記露光部により前記感光体を露光するための第３消費電力を前記形成すべき画像に応じて算出する第３算出部と、前記第１消費電力、前記第２消費電力、及び前記第３消費電力の総和を算出する第４算出部とを備えたことを特徴とする。
【発明の効果】
【００１２】
本発明によれば、定着器によりトナー画像を紙に定着可能となるまでの第１消費電力を算出し、紙の種類に応じて、定着器によりトナー画像を紙に定着させるための消費電力、及び定着器により紙にトナー画像を定着させる際に紙を搬送するための第２消費電力を算出し、露光部により感光体を露光するための第３消費電力を形成すべき画像に応じて算出し、第１消費電力、第２消費電力、及び第３消費電力の総和を算出するので、画像形成装置の消費電力を精度よく算出することができる。
【図面の簡単な説明】
【００１３】
【図１】本発明の実施の形態に係る画像形成装置の構成を概略的に示すブロック図である。
【図２】図１のプリンタエンジン制御部に備えられた定着器用消費電力参照テーブル、及び紙搬送用消費電力参照テーブルを示す図である。
【図３】図１の画像形成装置のカラートナーカートリッジの構成を示す図である。
【図４】図１の画像形成装置における印刷ジョブによる消費電力の推移を説明するための図である。
【図５】印刷ジョブによる消費電力の違いを示す図であり、（Ａ）は印刷内容が同じで、紙の種類が異なる場合の消費電力を示し、（Ｂ）は、紙の種類が同じで、印刷内容が異なる場合の消費電力を示す。
【図６】図１におけるコントローラによって実行される消費電力算出処理の手順を示すフローチャートである。
【図７】図１におけるコントローラによって実行される、印刷可能になるまでの時間が一定になるように制御する場合の消費電力算出処理の手順を示すフローチャートである。
【発明を実施するための形態】
【００１４】
以下、本発明の実施の形態について図面を参照しながら説明する。
【００１５】
図１は、本発明の実施の形態に係る画像形成装置の構成を概略的に示すブロック図である。
【００１６】
図１において、画像形成装置１００は、コントローラ１０００、プリンタエンジン２０００、及びパネル３０００を含む。
【００１７】
コントローラ１０００は、画像形成装置１００全体を制御する。プリンタエンジン２０００は、画像を紙等の記録媒体に形成するエンジンである。以下の説明では、記録媒体に画像を形成することを、印刷する、と表現することがある。また、本実施の形態では、記録媒体として紙を用いた場合について説明する。
【００１８】
パネル３０００は、ユーザに対して情報を表示したり、ユーザが画像形成装置１００を操作するためのユーザインタフェースである。
【００１９】
コントローラ１０００は、ＡＳＩＣ１１００、ＲＡＭ１３００、及びＲＯＭ１４００を備える。
【００２０】
ＡＳＩＣ１１００は、コントローラ１０００を制御する。ＲＡＭ１３００は、制御プログラムの実行領域や画像処理用のワークデータ用領域、及び出力データ格納用領域が確保される揮発性のメモリである。ＲＯＭ１４００は、制御プログラムが格納される不揮発性のメモリである。
【００２１】
ＡＳＩＣ１１００は、ＣＰＵ１１１０、画像処理部１１２０、ＰＣインタフェース１１３０、ＲＡＭインタフェース１１４０、ＲＯＭインタフェース１１６０、パネルインタフェース１１５０、及びプリンタインタフェース１２００を含む。
【００２２】
ＣＰＵ１１１０は、コントローラ１０００各部を制御する。画像処理部１１２０は、ＰＣ２００からの印刷ジョブに画像処理を施す。ＰＣインタフェース１１３０は、ＰＣ２００からの印刷ジョブを受信する。ＲＡＭインタフェース１１４０は、ＲＡＭ１３００とのデータ通信を行う。ＲＯＭインタフェース１１６０は、ＲＯＭ１４００とのデータ通信を行う。パネルインタフェース１１５０は、パネル３０００との通信を行う。プリンタインタフェース１２００は、プリンタエンジン２０００への画像データ転送及び制御通信を行う。また、プリンタインタフェース１２００は、ビデオカウント部１２１０を備える。このビデオカウント部１２１０は、画像出力データ（以下、「ビデオデータ」という）を計測する。
【００２３】
プリンタエンジン２０００は、コントローラインタフェース２１００、プリンタエンジン制御部２２００、定着器２３００、及び紙搬送モータ制御部２４００を備える。
【００２４】
コントローラインタフェース２１００は、コントローラ１０００とのデータ通信を行う。プリンタエンジン制御部２２００は、プリンタエンジン２０００を制御する。また、プリンタエンジン制御部２２００は、定着器２３００の温度上昇に伴う消費電力が記憶された定着器用消費電力参照テーブル、及び紙搬送のモータ速度に伴う消費電力が記憶された紙搬送用消費電力参照テーブルを備える。
【００２５】
定着器２３００は、当該定着器２３００の温度を上昇させることでトナー画像を紙に定着可能とするものである。また、定着器２３００は、定着器２３００内の温度を検知する温度検知部を備える。
【００２６】
紙搬送モータ制御部２４００は、紙を搬送するモータを制御する。また、紙搬送モータ制御部２４００は、紙搬送モータの速度を制御する速度制御部２４１０を備える。
【００２７】
図２は、図１のプリンタエンジン制御部２２００に備えられた定着器用消費電力参照テーブル、及び紙搬送用消費電力参照テーブルを示す図である。
【００２８】
図２において、定着器２３００による消費電力は、プリンタエンジン制御部２２００内の定着器用消費電力参照テーブル２２１０に記憶される。また、紙搬送による消費電力は、プリンタエンジン制御部２２００内の紙搬送モータ用消費電力参照テーブル２２２０に記憶される。
【００２９】
また、定着器用消費電力参照テーブルは、紙の種類と定着器２３００により画像を紙に定着させるための消費電力とが対応付けられたテーブルである。一方、紙搬送用消費電力参照テーブルは、紙の種類と定着器２３００により紙に画像を定着させる際に紙を搬送するための消費電力とが対応付けられたテーブルである。
【００３０】
さらに、図２において、「紙の種類」は、紙の大きさ等を示す。この紙の種類ごとに、定着器用消費電力、及び紙搬送用消費電力が示されている。定着器用消費電力は、「ＰＷ＿定（種類）」と表現され、紙搬送用消費電力は、「ＰＷ＿搬（種類）」と表現されている。
【００３１】
例えば、紙の種類が「Ｂ４」であれば、定着器用消費電力は、「ＰＷ＿定Ｂ４」であり、紙搬送用消費電力は、「ＰＷ搬＿Ｂ４」である。もちろん、「ＰＷ＿定（種類）」、及び「ＰＷ＿搬（種類）」は、実際のテーブルでは具体的な数字となっている。
【００３２】
図２に示されるように、紙の種類によって、定着器２３００による消費電力と紙搬送のモータによる消費電力がそれぞれあらかじめ記憶されている。
【００３３】
そして、温度検知部２３１０による温度情報と印刷ジョブの処理時間から、定着器２３００による消費電力が算出される。
【００３４】
また、速度制御部２４１０による紙搬送モータ速度情報と、印刷ジョブの処理時間から、モータによる消費電力が算出される。
【００３５】
以上説明した定着器用消費電力参照テーブル、及び紙搬送用消費電力参照テーブルから紙の種類に応じて、定着器２３００により画像を紙に定着させるための消費電力、及び定着器２３００により紙に画像を定着させる際に紙を搬送するための第２消費電力を算出することができる。
【００３６】
次に、ビデオカウント値による消費電力の違いを説明する。ビデオカウント値とは、印刷する画像データの画素の合計値である。
【００３７】
ＰＣ２００は、画像データであるビットマップデータを生成し、紙の種類などの情報を加えた印刷ジョブを、画像形成装置１００へ送信する。このとき、印刷ジョブデータ内のビットマップデータは圧縮される。
【００３８】
コントローラ１０００は、ＰＣインタフェース１１３０を介して受信した圧縮されたビットマップデータを画像処理部１１２０で伸張する。伸張されたビットマップデータは、トナーを載せるオン画素「１」とトナーを載せないオフ画素「０」で構成される。
【００３９】
ビットマップデータがプリンタエンジン２０００に転送される際、ビデオカウント部１２１０が、オン画素「１」を積算する。例えば、６００ｄｐｉでＡ４用紙全体の場合は、約５０００画素×約７０００画素となる。
【００４０】
トナーを載せるオン画素「１」は、プリンタエンジンでのレーザー駆動に相当するため、ビデオカウント値によって消費電力が異なる。また、カラーの場合は、ＣＭＹＫ各色でビデオカウント値を積算する。これにより、露光部３０により感光体５０を露光するための第３消費電力を画像に応じて算出することができる。
【００４１】
図３は、図１の画像形成装置１００のカラートナーカートリッジの構成を示す図である。
【００４２】
図３において、ＣＭＹＫに対応するトナーカートリッジが各々示され、各トナーカートリッジは、感光体５０、及び形成すべき画像に応じて感光体を露光して静電潜像を形成する露光部３０を備える。なお、同図においては、通常の写真電子方式で必要な構成であるクリーナ等は説明を簡単にするために省略している。
【００４３】
カラー印刷の場合、トナーカートリッジＹ，Ｍ，Ｃ及びＫのすべてでトナーを載せる。モノクロ印刷の場合、トナーカートリッジＫのみでトナーを載せる。
【００４４】
画像形成装置１００がページ記述言語を用いるプリンタの場合は、ＰＣ２００はビットマップ生成の代わりに、ページ記述言語を生成して画像形成装置１００へ送信し、画像形成装置１００がページ記述言語を解釈してビットマップデータを生成する。
【００４５】
以上より、印刷ジョブによる消費電力は、紙の種類による消費電力とビデオカウント値による消費電力とを加えたものとなる。なお、紙の種類による消費電力（第２消費電力）は、定着器２３００による消費電力とモータによる消費電力とを加えたものとなり、ビデオカウント値による消費電力（第３消費電力）は、レーザー駆動による消費電力である。
【００４６】
紙の種類による消費電力は、印刷ジョブに含まれる情報から図２に示したテーブルを用いて求められる。また、ビデオカウント値による消費電力は、印刷後にビデオカウント部１２１０が記憶した情報より求められる。従って、露光部３０により感光体５０を露光するための第３消費電力を形成すべき画像に応じて算出することができる。
【００４７】
以上説明した消費電力は、印刷時における消費電力であったが、印刷前にも、画像を紙に定着可能な状態（以下、「前状態」という）とするための電力が消費される。
【００４８】
図４は、図１の画像形成装置１００における印刷ジョブによる消費電力の推移を説明するための図である。
【００４９】
図４において、２つの印刷ジョブが例として示されており、横軸は時間、縦軸は消費電力を示している。また、印刷ジョブ１は、スリープ状態からのジョブであり、印刷ジョブ２は、スタンバイ状態からのジョブである。
【００５０】
画像形成装置１００は、印刷ジョブ１を受信すると、定着器２３００の温度を制御して前状態にする。この前状態にするために必要な消費電力を「ＰＷｐｒｅ１」とする。そして印刷が実行されるが、この印刷時に必要な消費電力を「ＰＷｊｏｂ１」とする。
【００５１】
ＰＷｊｏｂ１は、定着器２３００の温度制御、紙搬送モータ制御部２４００による制御、及びビデオデータによるプリンタエンジン２０００のレーザー駆動により消費された電力の総和である。
【００５２】
印刷ジョブ１が終了すると、画像形成装置１００は、スタンバイ状態になる。画像形成装置１００は、次の印刷ジョブ２を受信すると、印刷ジョブ１の受信時と同様に、定着器２３００の温度を制御して前状態にする。
【００５３】
このときに必要な消費電力を「ＰＷｐｒｅ２」とする。このＰＷｐｒｅ２は、前述のＰＷｐｒｅ１よりも小さい。上記ＰＷｐｒｅ１は、画像形成装置１００がスリープ状態であり、定着器２３００の温度が低い状態から温度を上昇させるための消費電力であった。これに対し、ＰＷｐｒｅ２は、画像形成装置１００がスタンバイ状態であり、定着器２３００の温度がスリープ状態に比べて高い状態から温度を上昇させるための消費電力である。従って、ＰＷｐｒｅ２はＰＷｐｒｅ１よりも小さくなる。
【００５４】
次いで、印刷ジョブ２が実行される。この印刷時に必要な消費電力を「ＰＷｊｏｂ２」とする。図３では、一例として、ＰＷｊｏｂ２は、ＰＷｊｏｂ１よりも小さいものとしている。これは、上述したように、印刷ジョブによって、消費電力が異なるためである。
【００５５】
このように、印刷ジョブによる消費電力ＰＷは、印刷時の消費電力ＰＷｊｏｂ（第２消費電力＋第３消費電力）及び印刷前の消費電力ＰＷｐｒｅ（第１消費電力）を加えたものとなる。すなわち、ＰＷ＝ＰＷｐｒｅ＋ＰＷｊｏｂにより、第１消費電力、前記第２消費電力、及び前記第３消費電力の総和を算出することができる。
【００５６】
図５は、印刷ジョブによる消費電力の違いを示す図であり、（Ａ）は印刷内容が同じで、紙の種類が異なる場合の消費電力を示し、（Ｂ）は、紙の種類が同じで、印刷内容が異なる場合の消費電力を示す。
【００５７】
図５（Ａ）において、比較対象となっている紙の種類は、Ａ４普通紙及びハガキとなっている。定着器２３００の温度は、Ａ４普通紙に印刷する場合に比べて、厚さのあるハガキなどに印刷する場合の方が高い。従って、前状態の消費電力はハガキに印刷する場合の方が大きい。
【００５８】
また、紙搬送の速度は、Ａ４用紙に印刷する場合に比べて、厚さのあるハガキなどに印刷する場合の方が遅い。したがって、印刷ジョブによる定着器２３００の消費電力及び紙搬送による消費電力は、ハガキの方が大きい。すなわち、印刷内容が同じでも、紙の種類が異なると、印刷ジョブによる消費電力は異なる。
【００５９】
図５（Ｂ）において、比較対象となっている画像は、モノクロ（図ではＢＷ）及びカラー（図ではＣＬ）となっている。定着器２３００の温度は、モノクロで印刷する場合に比べて、トナー使用量が多いカラーで印刷する場合の方が高い。したがって、前状態の消費電力はカラーで印刷する場合の方が大きい。
【００６０】
また、ビデオカウント値は、モノクロで印刷する場合に比べて、トナー使用量が多いカラーで印刷する場合の方が大きい。したがって、印刷ジョブによる定着器２３００の消費電力及びビデオカウント値によるレーザー駆動の消費電力は、カラーの方が大きい。すなわち、紙の種類が同じでも、印刷内容が異なると、印刷ジョブによる消費電力は異なる。
【００６１】
特に、ビデオカウント値は、印刷内容によって毎回異なるため、定着器２３００や紙搬送による消費電力のように予め記憶したデータを使用すると、消費電力算出の誤差が大きくなる。そのため、本実施の形態では、ビデオカウント部１２１０でカウントされたビデオカウント値を用いることで、誤差の発生を解消している。
【００６２】
図６は、図１におけるコントローラ１０００によって実行される消費電力算出処理の手順を示すフローチャートである。
【００６３】
なお、この消費電力算出処理を示すプログラムは、ＲＯＭ１４００に格納もしくはＲＡＭ１３００に展開されている。
【００６４】
図６において、画像形成装置１００のコントローラ１０００は、ＰＣ２００からＰＣインタフェース１１３０を介して印刷ジョブを受信する（ステップＳ３０１）。印刷ジョブを受信したコントローラ１０００は、時間計測を開始する（Ｓ３０２）。また、コントローラ１０００は、プリンタインタフェース１２００を介して、プリンタエンジン２０００に印刷ジョブ受信を通知する。定着器２３００の温度は、温度検知部２３１０によって検知される。
【００６５】
次いで、定着器２３００の温度が、定着可能となる所定温度に達したか否か判別し（ステップＳ３０３）、定着器２３００の温度が所定温度に達したことを温度検知部２３１０によって検知されると（ステップＳ３０３でＹＥＳ）、コントローラ１０００は、時間計測を終了する（ステップＳ３０４）。
【００６６】
コントローラ１０００は、計測された時間とプリンタエンジン制御部２２００内の定着器用消費電力参照テーブル２２１０から、前状態による消費電力であるＰＷｐｒｅを算出する（ステップＳ３０５）（第１算出部）。
【００６７】
次いで、コントローラ１０００は、受信した印刷ジョブより紙の種類を記憶する（ステップＳ３０６）。そして、コントローラ１０００は、印刷が終了したか否か判別し（ステップＳ３０７）、印刷が終了すると（ステップＳ３０７でＹＥＳ）、コントローラ１０００は、プリンタＩ／Ｆ１２００内のビデオカウント部１２１０に記憶されたビデオカウント値と、ステップＳ３０６で記憶した紙の種類から、印刷ジョブによる消費電力であるＰＷｊｏｂを算出し（ステップＳ３０８）（第２算出部、第３算出部）、コントローラ１０００は、ＰＷｐｒｅとＰＷｊｏｂから印刷ジョブ全体の消費電力の総和を算出して（ステップＳ３０９）（第４算出部）、本処理を終了する。
【００６８】
図６の処理によれば、定着器２３００により画像を紙に定着可能となるまでの第１消費電力を算出し（ステップＳ３０５）、紙の種類に応じて、定着器２３００により画像を紙に定着させるための消費電力、及び定着器２３００により紙に画像を定着させる際に紙を搬送するための第２消費電力を算出し（ステップＳ３０８）、露光部３０により感光体５０を露光するための第３消費電力を画像に応じて算出し（ステップＳ３０８）、第１消費電力、第２消費電力、及び第３消費電力の総和を算出する（ステップＳ３０９）ので、画像形成装置１００の消費電力を精度よく算出可能となる。
【００６９】
図６で説明した消費電力算出処理は、定着器２３００の温度上昇率が一定である場合の処理であり、定着器２３００により画像を紙に定着可能となるまでの時間から第１消費電力を算出する処理である。一方、定着可能になるまでの時間が一定になるように制御する場合は、温度を上昇させる前の定着器２３００の温度と、画像を紙に定着可能となるまでの温度との温度差から第１消費電力を算出する消費電力算出処理について説明する。
【００７０】
図７は、図１におけるコントローラ１０００によって実行される、定着可能になるまでの時間が一定になるように制御する場合の消費電力算出処理の手順を示すフローチャートである。
【００７１】
なお、この消費電力算出処理を示すプログラムは、ＲＯＭ１４００に格納もしくはＲＡＭ１３００に展開されている。
【００７２】
図７において、画像形成装置１００のコントローラ１０００は、ＰＣ２００からＰＣインタフェース１１３０を介して印刷ジョブを受信する（ステップＳ７０１）。印刷ジョブを受信したコントローラ１０００は、定着器２３００の温度検知部２３１０から温度を検知する（ステップＳ７０２）。また、コントローラ１０００は、プリンタインタフェース１２００を介して、プリンタエンジン２０００に印刷ジョブ受信を通知する。
【００７３】
コントローラ１０００は、定着可能となる所定温度の温度と通知を受けた定着器２３００の温度との温度差から、一定時間内に定着器２３００の温度を上昇させるように制御する（ステップＳ７０３）。
【００７４】
次いで、定着器２３００の温度が、定着可能となる所定温度に達したか否か判別し（ステップＳ７０４）、定着器２３００の温度が所定温度に達したことを温度検知部２３１０によって検知されると（ステップＳ７０４でＹＥＳ）、コントローラ１０００は、上記温度差から、前状態による消費電力ＰＷｐｒｅを算出する（ステップＳ７０５）。次に、コントローラ１０００は、受信した印刷ジョブより紙の種類を記憶する（ステップＳ７０６）。そして、コントローラ１０００は、印刷が終了したか否か判別し（ステップＳ７０７）、印刷が終了すると（ステップＳ７０７でＹＥＳ）、コントローラ１０００は、プリンタＩ／Ｆ１２００内のビデオカウント部１２１０に記憶されたビデオカウント値と、ステップＳ７０６で記憶した紙の種類から、印刷ジョブによる消費電力ＰＷｊｏｂを算出し（ステップＳ７０８）、コントローラ１０００は、ＰＷｐｒｅとＰＷｊｏｂから印刷ジョブ全体の消費電力を算出して（ステップＳ７０９）、本処理を終了する。
【００７５】
（他の実施形態）
また、本発明は、以下の処理を実行することによっても実現される。即ち、上述した実施の形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記憶媒体は本発明を構成することになる。
【符号の説明】
【００７６】
３０  露光部
５０  感光体
１００  画像形成装置
１０００  コントローラ
１１００  ＡＳＩＣ
１２００  プリンタ  Ｉ／Ｆ
２０００  プリンタエンジン
２２００  プリンタエンジン制御部
２２１０  定着器用消費電力参照テーブル
２２２０  紙搬送用消費電力参照テーブル
２３００  定着器
２３１０  温度検知部
２４００  紙搬送モータ制御部
２４１０  速度制御部
【図１】
0005661422.tif 000002
【図２】
0005661422.tif 000003
【図３】
0005661422.tif 000004
【図４】
0005661422.tif 000005
【図５】
0005661422.tif 000006
【図６】
0005661422.tif 000007
【図７】
0005661422.tif 000008